(57)【要約】【課題】従来のスイッチカバーは、箱型のフレームに上蓋を開閉自在に係止したものや、円弧状の第１のカバーと第２のカバーの回動により開閉自在としたものであって、スイッチの操作時にカバーを開ける必要であるためスイッチの操作性が損なわれていた。そこで、操作性を損なうことなく誤動作防止機能を備えたスイッチカバーを提供することを目的とする。【解決手段】ネジリコイルバネを配設した下カバーと上カバーを摺動自在に嵌合し、嵌合した上カバーおよび下カバーをハウジング内に配設し、ハウジングの内側面に形成されたＬ字状のガイド溝と上カバーおよび下カバーに形成されたガイド突起の係合により通常状態ではスイッチの操作が不能であって、スイッチの操作時には上カバーをスライドさせてから押圧する構成とする。【選択図】図１
2010218938.tif 000002
【特許請求の範囲】
【請求項１】
弾性部材を配設した下カバーと上カバーを摺動自在に嵌合し、嵌合した前記上カバーおよび下カバーを内側面に略Ｌ字状のガイド溝を形成したハウジング内に配設し、前記上カバーおよび下カバーの側面には前記ガイド溝に係合する突起が形成され、前記突起が前記ガイド溝に沿って摺動することで前記上カバーはスライド操作および押圧操作が可能であるとともに前記下カバーは押圧操作が可能であって、前記上カバーのスライド操作前はスイッチの押圧操作が不能であり、前記上カバーをスライド操作後に押圧操作することでスイッチの押圧操作が可能となることを特徴とするスイッチカバー。
【発明の詳細な説明】
【技術分野】
【０００１】
本発明は、スイッチに取付けるカバーに係り、誤動作防止機能を備えたスイッチカバーに関するものである。
【背景技術】
【０００２】
従来のカバーは、箱型のフレームに上蓋を開閉自在に係止したもの（下記特許文献１参照）や、円弧状の第１のカバーと第２のカバーの回動により開閉自在としたもの（下記特許文献２参照）があった。
【先行技術文献】
【特許文献】
【０００３】
【特許文献１】特開２００１−２８３６６７号
【特許文献２】特開平１０−２４１４８７号
【非特許文献】
【０００４】
【非特許文献１】なし
【発明の概要】
【発明が解決しようとする課題】
【０００５】
しかしながら、上記した従来のカバーは、スイッチの操作時にカバーを開ける必要であるためスイッチの操作性が損なわれ、操作性を損なうことなく誤動作を防止するカバーを実現することは困難であった。
【０００６】
そこで本発明は、上記状況に鑑みて、操作性を損なうことなく誤動作防止機能を備えたスイッチカバーを提供することを目的とする。
【課題を解決するための手段】
【０００７】
本発明は、上記目的を達成するために、
弾性部材を配設した下カバーと上カバーを摺動自在に嵌合し、嵌合した前記上カバーおよび下カバーを内側面に略Ｌ字状のガイド溝を形成したハウジング内に配設し、前記上カバーおよび下カバーの側面には前記ガイド溝に係合する突起が形成され、前記突起が前記ガイド溝に沿って摺動することで前記上カバーはスライド操作および押圧操作が可能であるとともに前記下カバーは押圧操作が可能であって、前記上カバーのスライド操作前はスイッチの押圧操作が不能であり、前記上カバーをスライド操作後に押圧操作することでスイッチの押圧操作が可能となることを特徴とする。
【発明の効果】
【０００８】
本発明によれば、次のような効果を奏することができる。
（１）カバーの開閉を行うことなくスイッチを操作できるため、操作性を損なうことなく誤動作が防止できる。
（２）カバーの開閉が不要であるため、破損の可能性を軽減できる。
（３）カバーは様々な形状や色に変更可能であるため、パネルのデザイン性が向上できる。
【図面の簡単な説明】
【０００９】
【図１】本発明の実施例を表すスイッチカバーの分解斜視図である。
【図２】本発明の実施例を表すスイッチカバーの斜視図である。
【図３】本発明の実施例を表すスイッチカバーのハウジングの図である。
【図４】本発明の実施例を表すスイッチカバーの上カバーの図である。
【図５】本発明の実施例を表すスイッチカバーの下カバーの図である。
【図６】本発明の実施例を表すスイッチカバーを取付けたときの要部断面図である。
【発明を実施するための形態】
【００１０】
本発明は、ハウジングに形成された略Ｌ字状の溝と上カバーおよび下カバーに形成された突起の係合によって、通常状態ではスイッチの操作が不能であって、上カバーをスライドさせてから押圧することで、スイッチを操作することができる構成とする。よって、操作性を損なうことなく誤動作を防止することができる。
【実施例】
【００１１】
以下、本発明の実施例について、図面を参照しながら詳細に説明する。
【００１２】
図１は本発明の実施例を表すスイッチカバーの分解斜視図、図２は本発明の実施例を表すスイッチカバーの斜視図、図３は本発明の実施例を表すスイッチカバーのハウジングの図であり、図３（ａ）は平面図を、図３（ｂ）はＡ−Ａ断面図を示している。図４は本発明の実施例を表すスイッチカバーの上カバーの図であり、図４（ａ）は側面図を、図４（ｂ）は底面図を、図４（ｃ）は正面図を示している。図５は本発明の実施例を表すスイッチカバーの下カバーの図であり、図５（ａ）は平面図を、図５（ｂ）は側面図を、図５（ｃ）は底面図を示している。図６は本発明の実施例を表すスイッチカバーを取付けたときの要部断面図であり、図６（ａ）は操作前（ロック時）を、図６（ｂ）は操作途中を、図６（ｃ）は操作完了時を示している。
【００１３】
これらの図において、１はハウジング、２は上カバー、３は下カバー、４はネジリコイルバネ、５は底板、６はスイッチ、７はパネルである。ハウジング１は略筒状で、内側面の長辺側には対向した２対のＬ字状のガイド溝１ａが形成され、短辺側の一方には鍔部１ｂが形成される。上カバー２には、側面にガイド溝１ａと係合するガイド突起２ａが形成され、底面には下カバー３と嵌合する嵌合爪２ｂおよびネジリコイルバネ４の脚部４ｂと係合する係合凹部２ｃが形成され、上面は短辺の一方から他方に向って傾斜が形成される。下カバー３には、側面にガイド溝１ａと係合するガイド突起３ａが形成され、上面にはネジリコイルバネ４のコイル部４ａと係合する係合突起３ｂが形成されるとともに上カバー２と嵌合する嵌合孔３ｃが形成され、下面には短辺側の一方に垂下部３ｄが形成され、垂下部３ｄの略中央部には切欠部３ｅが形成される。底板５には、スイッチ６を挿入する挿入孔５ａが形成され、スイッチ６を固定する固定孔５ｂが挿入孔５ａと連続して形成され、上面には下カバー３の切欠部３ｅと係合して上下動を案内するガイド凸部５ｃが形成され、長側面にはハウジング１に形成された嵌合凹部１ｃと嵌合する嵌合凸部５ｄが形成される。
【００１４】
下カバー３の上面にネジリコイルバネ４を配設し、上カバー２下面と下カバー３上面が対向するように嵌合爪２ｂを嵌合孔３ｃに嵌合する。このとき、ネジリコイルバネ４のコイル部４ａは係合突起３ｂと係合するとともに脚部４ｂは係合凹部２ｃと係合して、上カバー２と下カバー３を左右に分かれる方向に付勢する。嵌合した上カバー２および下カバー３をハウジング１の下方から挿入し、ガイド突起２ａおよび３ａがガイド溝１ａに沿うように移動させ、上カバー２が鍔部１ｂの上側に配置される。そして、底板５をハウジング１の下方から嵌合し、スイッチカバーが完成される。
【００１５】
以上のように構成された本発明のスイッチカバーは、スイッチ６を挿入孔５ａに挿入後、固定孔５ｂに移動し、パネル７の取付孔（図示せず）にスイッチ６を挿入後、ナット６ｃで締め付け、フランジ部６ｂとナット６ｃによって底板５とパネル７を狭持することでパネル７への取付けが完了する。取付けられたスイッチカバーは、通常状態では上カバー２の下面が鍔部１ｂに当接するとともにガイド溝１ａと２ａの係合により上カバー２の下方への移動が抑止されるため押圧操作を行うことができず、上カバー２をスライドさせて、ロックを解除することで押圧操作が可能となる。押圧操作を行うと、上カバー２および下カバー３が下降し、下カバー３の下面でスイッチ６の操作部６ａを押圧してスイッチ６を操作する。操作後は操作部６ａの復帰にともなって上カバー２および下カバー３が押し上げられ、ネジリコイルバネ４の復帰力によって上カバー２が鍔部１ｂの上側に配置される。
【００１６】
このように、本実施例に示すスイッチカバーは、ネジリコイルバネ４を配設した下カバー３と上カバー２を摺動自在に嵌合し、嵌合した上カバー２および下カバー３をハウジング１内に配設し、ハウジング１の内側面に形成されたＬ字状のガイド溝１ａと上カバー２および下カバー３に形成されたガイド突起２ａおよび３ａの係合により、通常状態ではスイッチの操作が不能であって、上カバー２をスライドさせてから押圧する構造としたため、操作性を損なうことなく誤動作が防止できるという特徴を有している。
【００１７】
本実施例では、ハウジングを楕円形としたが、四角形やその他の形状としてもよく、上カバーの上面に表示などを設けてもよく、種々の方法が考えられる。
【００１８】
なお、本発明は上記の実施例に限定されるものではなく、本発明の趣旨に基づき種々の変形が可能であり、これらを本発明の範囲から排除するものではない。
【産業上の利用可能性】
【００１９】
本発明のスイッチカバーは、操作性を損なうことなく誤動作防止機能を備えたスイッチカバーとして利用可能である。
【符号の説明】
【００２０】
１    ハウジング
１ａ  ガイド溝
１ｂ  鍔部
１ｃ  嵌合凹部
２    上カバー
２ａ  ガイド突起
２ｂ  嵌合爪
２ｃ  係合凹部
３    下カバー
３ａ  ガイド突起
３ｂ  係合突起
３ｃ  嵌合孔
３ｄ  垂下部
３ｅ  切欠部
４    ネジリコイルバネ
４ａ  コイル部
４ｂ  脚部
５    底板
５ａ  挿入孔
５ｂ  固定孔
５ｃ  ガイド凸部
５ｄ  嵌合凸部
６    スイッチ
６ａ  操作部
６ｂ  フランジ部
６ｃ  ナット
７    パネル
【図１】
2010218938.tif 000003
【図２】
2010218938.tif 000004
【図３】
2010218938.tif 000005
【図４】
2010218938.tif 000006
【図５】
2010218938.tif 000007
【図６】
2010218938.tif 000008